(57)【要約】【課題】手の力に比べて数倍の力があると考えられる脚の力を利用することにより、力の弱い、老人、女性、子供などでも容易にアンカーの引き抜き作業を行うことができ、また、大人の男性にあっては手作業に比べて疲労が少ないので、作業能率が２〜３倍も高めることのできるトンネル栽培用シートビニール固定アンカー抜取具を提供することにある。【解決手段】使用時に荷重を支える主杆２と、主杆２の上端に設けられた把持杆３と、主杆２の下端に設けられた接地板４と、主杆２の下部側面に枢支軸５により連結され上下回りに回動自在なアンカー押上げ作動杆６と、アンカー押上げ作動杆６を元の非作動位置に戻すバネ７とからなる。【選択図】        図１
2005021013.tif 000002
【特許請求の範囲】
【請求項１】
主杆の上端に把持杆を設け、使用時に畑の土表面に接地する平板状の接地板を主杆の下端に設け、畑の土中に打ち込まれたアンカーの土上方に形成される孔部に挿入して押し上げるツメが先端側に形成され後端側に足踏みペダルが取付けられたアンカー押上げ作動杆の中間側の側面の一部を枢支軸により上記主杆の下部側面の一部に連結し、非作動位置でアンカー押上げ作動杆の先端側のツメを主杆の下端に近い高さに位置させこの位置で前方に向けて略水平状になるように形成し、畑の土中に打ち込まれたアンカーの先端側を一部土中に残してアンカーを立った状態に押し上げる作動位置とその下方の非作動位置との間で枢支軸を中心に上記アンカー押上げ作動杆の先端側のツメを上下方向に回動自在にし、非作動位置でアンカー押上げ作動杆の後端側の足踏みペダルを先端側の上記ツメよりも高い位置で略水平状になるように形成し、上方の非作動位置とその下方の作動位置との間で枢支軸を中心に上記アンカー押上げ作動杆の後端側の足踏みペダルを上下方向に回動自在にし、作動位置のアンカー押上げ作動杆を元の非作動位置に戻すバネを設けたことを特徴とするトンネル栽培用シートビニール固定アンカー抜取具。
【請求項２】
アンカー押上げ作動杆のツメ側寄りの中間部分にはストッパー突起片が前方に向けて突起して形成されている請求項１記載のトンネル栽培用シートビニール固定アンカー抜取具。
【発明の詳細な説明】
【０００１】
【発明の属する技術分野】
この発明は、所謂トンネル栽培でトンネルの外周を覆うために使用されるシートをトンネル栽培用の並設された骨組みパイプに係止するテープや紐等の紐類の両端が連結されるアンカーを、畑の土から簡単に引き抜く工具に係り、特に、脚の力を利用してアンカーを畑の土から簡単に引き抜くトンネル栽培用シートビニール固定アンカー抜取具に関するものである。
【０００２】
【従来の技術】
トンネル栽培ハウスは、複数の円弧状の骨組みパイプを畑に並置して取付け、その上にシートを被せて複数のテープや紐等の紐類を使用してシートを骨組みパイプに係止して構成されている。又シートを骨組みパイプに係止する複数の紐類の両端側は、トンネル栽培ハウスに沿ってハウスの両外側の畑の土中に打ち込まれて支持されているアンカーに連結されている。
トンネル栽培においては、作業の邪魔になる骨組みパイプ、シートが収穫時期の前後に一時的に撤去されるが、その際に、アンカーも作業の邪魔になるので、畑の土中から引き抜かれる。
〔特許文献１〕特開昭６２−２４４３２０
〔特許文献２〕特開平０８−００１５４６
〔特許文献３〕実開昭５５−０３１５１４
【０００３】
【発明が解決しようとする課題】
しかしながら、従来のアンカーの引き抜き作業は、工具を使用して手の力を利用して行われている。手の力を利用するため、力が弱い老人、女性、子供などにとっては重労働であり、また大人の男性にあっても、多数引き抜くと、疲労によって作業能率が低下するという不都合があった。
【０００４】
この発明は、上記のような課題に鑑み、その課題を解決すべく創案されたものであって、その目的とするところは、手の力に比べて数倍の力があると考えられる脚の力を利用することにより、力の弱い、老人、女性、子供などでも容易にアンカーの引き抜き作業を行うことができ、また、大人の男性にあっては手作業に比べて疲労が少ないので、作業能率が２〜３倍も高めることのできるトンネル栽培用シートビニール固定アンカー抜取具を提供することにある。
【０００５】
【課題を解決するための手段】
以上の目的を達成するために、この発明は、主杆の上端に把持杆を設け、使用時に畑の土表面に接地する平板状の接地板を主杆の下端に設け、畑の土中に打ち込まれたアンカーの土上方に形成される孔部に挿入して押し上げるツメが先端側に形成され後端側に足踏みペダルが取付けられたアンカー押上げ作動杆の中間側の側面の一部を枢支軸により上記主杆の下部側面の一部に連結し、非作動位置でアンカー押上げ作動杆の先端側のツメを主杆の下端に近い高さに位置させこの位置で前方に向けて略水平状になるように形成し、畑の土中に打ち込まれたアンカーの先端側を一部土中に残してアンカーを立った状態に押し上げる作動位置とその下方の非作動位置との間で枢支軸を中心に上記アンカー押上げ作動杆の先端側のツメを上下方向に回動自在にし、非作動位置でアンカー押上げ作動杆の後端側の足踏みペダルを先端側の上記ツメよりも高い位置で略水平状になるように形成し、上方の非作動位置とその下方の作動位置との間で枢支軸を中心に上記アンカー押上げ作動杆の後端側の足踏みペダルを上下方向に回動自在にし、作動位置のアンカー押上げ作動杆を元の非作動位置に戻すバネを設けた手段よりなるものである。
【０００６】
【発明の実施の形態】
以下、図面に記載の発明の実施の形態に基づいて、この発明をより具体的に説明する。
ここで、図１はトンネル栽培用シートビニール固定アンカー抜取具の全体斜視図、図２はトンネル栽培用シートビニール固定アンカー抜取具の要部の側面図、図３はトンネル栽培用シートビニール固定アンカー抜取具の使用時の非作動位置の部分斜視図、図４はトンネル栽培用シートビニール固定アンカー抜取具の使用時の作動中の部分斜視図、図５はトンネル栽培用シートビニール固定アンカー抜取具の使用時の作動位置の部分斜視図である。
【０００７】
図において、トンネル栽培用シートビニール固定アンカー抜取具１は、トンネル栽培でトンネルの外周を覆うために使用されるシートａをトンネル栽培用の並設された骨組みパイプに係止するテープや紐等の紐類ｂの両端が連結される例えば逆Ｕ字型ピンからなるアンカーｃを、脚の力を利用して畑の土から簡単に引き抜く工具で、使用時に荷重を支える主杆２と、主杆２の上端に設けられた把持杆３と、主杆２の下端に設けられた接地板４と、主杆２の下部側面に枢支軸５により連結されたアンカー押上げ作動杆６と、アンカー押上げ作動杆６を元の非作動位置に戻すバネ７などから主に構成されている。
【０００８】
主杆２はアンカーｃの抜き取り作業時に畑の土の上に立てて使用される部分で、主杆２には抜き取り時に荷重が作用するためこれを支える必要があり、主杆２の材質には軽量で強度を有する金属製の中空管が使用される。
【０００９】
把持杆３は両手で掴んでアンカー抜取具１を保持する部分で、主杆２の上端に水平状に左右に張り出すように設けられていて、主杆２の上部側はこの水平状に左右に張り出す把持杆３によってＴ字状になっている。把持杆３は主杆２の上端に例えば溶接によって一体的に固設されている。把持杆３には主杆２と同様の軽量で強度を有する金属製の中空管が使用される。
【００１０】
接地板４は使用時に畑の土の表面に接地して、使用時に主杆２に作用する荷重によって主杆２の下端側が畑の土の中に挿入沈下するのを防ぐものであり、一定の面積を有する例えば金属製の平板が使用される。接地板４はその上面中央が主杆２の下端に例えば溶接によって固設されている。
【００１１】
主杆２の下部側面に枢支軸５によって連結されるアンカー押上げ作動杆６は例えば金属棒からなり、金属棒からなる先端側にはツメ６ａが形成されている。ツメ６ａはアンカーｃを引く抜く場合に、畑の土中に打ち込まれた例えば逆Ｕ字型ピンからなるアンカーｃの土上方に形成される例えば逆Ｕ字型の孔部ｄに挿入されてアンカーｃを押し上げる部分であり、孔部ｄに挿入され易いように先端に向かって尖った形状に形成されている。
【００１２】
アンカー押上げ作動杆６の金属棒からなる後端側の上面には足踏みペダル６ｂが取付けられている。足踏みペダル６ｂはアンカーｃを引く抜く場合に、片足をこの上に載せてこれを下側に向けて踏んで、枢支軸５を挟んで反対側にあるツメ６ａを押し上げるために使用される部分であり、足踏みペダル６ｂは例えば横に幅広な長方形の形状からなり、溶接によって後端側の上面に固設されている。
【００１３】
非作動位置、つまり主杆２を畑の土の上に単に立て状態で未だアンカー押上げ作動杆６の先端側のツメ６ａが少しも上向きに回動していない位置で、アンカー押上げ作動杆６は、ツメ６ａが形成された先端側が主杆２の下端に近い高さの位置にあってこの位置で前方に向けて略水平状に形成され、中間部分は先端側に対して略上向きに折曲形成され、略上向きに形成された中間部分の後方になる後端側は略水平状に折曲形成されている。
【００１４】
アンカー押上げ作動杆６は、略上向きの中間部分から略水平状の後端側になる後部折れ曲がり部分に枢支軸５が貫通して取付けられて、この位置で枢支軸５を中心として上下回りに回動する構造になっている。
【００１５】
また、作動位置、つまり畑の土中に打ち込まれたアンカーｃの先端側を一部土中に残してアンカーｃを立った状態に押し上げる位置で、アンカー押上げ作動杆６は、その後端側が畑の土の上について、それ以上は下方に回動しない。
【００１６】
先端側のツメ６ａと後端側の足踏みペダル６ｂは枢支軸５を挟んで上下回動が全く逆の関係にあり、後端側の足踏みペダル６ｂが下がる場合には先端側のツメ６ａは上がり、後端側の足踏みペダル６ｂが上がる場合には先端側のツメ６ａは下がるので、足踏みペダル６ｂがそれ以上は下がらない場合には逆に先端側のツメ６ａはそれ以上は上がらない。
【００１７】
このように、アンカー押上げ作動杆６の先端側のツメ６ａは、下方の上記非作動位置とその上方の上記作動位置との間で枢支軸５を中心に上下に回動する構造になっており、これにより、先端側のツメ６ａは、畑の土中に打ち込まれたアンカーｃを完全に押し上げて抜き取ることがなく、アンカーｃの先端側を一部土中に残してアンカーｃを立った状態に押し上げる位置で停止してそれ以上、上向きに回動するのが阻止される。
【００１８】
バネ７は作動位置のアンカー押上げ作動杆６を元の非作動位置に戻すもので、バネ７の一端側は枢支軸５が連結された箇所より上方位置の主杆２の側面に連結され、バネ７の他端側はアンカー押上げ作動杆６の後端側の側面に連結されている。バネ７は足踏みペダル６ｂが踏まれてアンカー押上げ作動杆６の後端側が下方に回転し始めると復帰力はこれに比例して徐々に大きくなり、他端側が畑の土に接触位置で復帰力は最大となり、足を足踏みペダル６ｂから外すとバネ７の復帰付勢力によりバネ７に引っ張られて他端側は元の位置まで戻ることになる。
【００１９】
また、アンカー押上げ作動杆６のツメ６ａ側寄りの中間部分にはストッパー突起片６ｃが前方に向けて突起して形成されている。ストッパー突起片６ｃは、アンカーｃを引く抜く場合にアンカー押上げ作動杆６のツメ６ａ側が孔部ｄに入り過ぎて、アンカー押上げ作動杆６の中間部分がアンカーｃの孔部ｄの上縁に接触してその接触摩擦によってツメ６ａより高い側の中間部分によって上方に押し上げられて、アンカーｃの先端側が畑の土から完全に抜け出るのを防ぐ機能を果たす。つまり、ストッパー突起片６ｃに当たることによってアンカーｃの孔部ｄの上縁がアンカー押上げ作動杆６の中間部分が接触するのを防ぐものである。
【００２０】
次に、上記発明の実施の形態の構成に基づく使用について図３〜図５を参照しながら以下説明する。
アンカー抜取具１の把持杆３を両手で掴んで、アンカー押上げ作動杆６の先端側のツメ６ａを、畑の土中に打ち込まれた例えば逆Ｕ字型ピンからなるアンカーｃの土上方に形成される例えば逆Ｕ字型の孔部ｄに挿入し、主杆２の下端の接地板４を畑の土の表面上に置く（図３参照）。
【００２１】
このときは未だ、非作動状態であり、アンカー押上げ作動杆６は非作動位置にある。つまり、足踏みペダル６ｂは上方の非作動位置にあり、先端側のツメ６ａは下方の非作動位置にある（図３参照）。このような状態で、片足でアンカー押上げ作動杆６の後端側の足踏みペダル６ｂを踏むと、アンカー押上げ作動杆６は非作動位置から作動位置に移行し、枢支軸５を中心として上下回りに回動する。
【００２２】
足踏みペダル６ｂ側が下方に回動すると、枢支軸５を挟んで足踏みペダルの反対側にある先端側のツメ６ａは上方に回動する。上向きに回動するツメ６ａはツメ６ａの上面側がアンカーｃの逆Ｕ字型の孔部ｄの上縁に当たり（図４参照）、これを上に向けて押し上げる。
【００２３】
下方に回動した足踏みペダル６ｂはその後端が畑の土の表面に当たり、それ以上、下方に回動することはない。上向きに回動してアンカーｃを押し上げたツメ６ａは足踏みペダル６ｂの下方への回動が止まると、同様に上向きへの回動が停止する。この状態でアンカー押上げ作動杆６は作動位置になる（図５参照）。
【００２４】
ツメ６ａの上向きへの回動が停止した位置で、アンカーｃは畑の土から完全に抜けて出ていなく、アンカーｃの先端側の一部は土の中に入っており、このため、アンカーｃは畑の土の上に立った状態にあり、アンカーｃが倒れてツメ６ａに引っかかることがなく、ツメ６ａからアンカーｃを外す作業を行うこともない。
【００２５】
足踏みペダル６ｂから足を離すと、下方の作動位置に回動していた足踏みペダル６ｂはバネ７の復帰力によって上向きに回動して、上方の非作動位置に戻る。同様に、上方の作動位置に回動していた先端側のツメ６ａは下向きに回動して、下方の非作動位置に戻る。
【００２６】
アンカー押上げ作動杆６の先端側のツメ６ａを押し上げたアンカーｃの逆Ｕ字型の孔部ｄから外して、アンカー抜取具１をその場所から動かして隣のアンカーｃの逆Ｕ字型の孔部ｄに挿入して、以下同様な抜き取り作業を行う。
【００２７】
アンカー抜取具１によるアンカーｃの押し上げ作業が終わった後、畑の土の上に立っているアンカーｃを手を使って回収する。この場合、アンカーｃは土の上に略同じ高さで立っているので、体を余り曲げることなく手がアンカーｃの上端側に届き、体への負担が軽減される。しかもアンカー抜取具１によって、アンカーｃは土の表面近くまで押し上げられているので、力を入れることなく、簡単に引き抜いてアンカーｃを回収することができる。
【００２８】
なお、この発明は上記発明の実施の形態に限定されるものではなく、この発明の精神を逸脱しない範囲で種々の改変をなし得ることは勿論である。
【００２９】
【発明の効果】
以上の記載より明らかなように、この発明に係るトンネル栽培用シートビニール固定アンカー抜取具によれば、手の力に比べて数倍の力があると考えられる脚の力を利用することにより、力の弱い、老人、女性、子供などでも容易にアンカーの引き抜き作業を行うことができる。また、大人の男性にあっては手作業に比べて疲労が少ないので、作業能率を２〜３倍も高めることができる。
【００３０】
これに加えて、アンカーを引き抜く際に、アンカーを完全に引く抜くのでなく、アンカーの先端側の一部を畑の土の中に残して、アンカーを畑の土の上に立てた状態で引く抜くことができるので、アンカーの回収作業をその分楽にすることができる。即ち、アンカーが完全に引き抜かれて場合には、アンカーがアンカー抜取具の先端側のツメに引っかかって、その都度アンカーをツメから外す必要があり面倒である。また、外したアンカーは取り敢えず、その場に置いて後でまとめて回収することになるが、回収時にはアンカーは畑の土の上に横たわっているので手が土に届くまで体を曲げる必要があり、しかも横たわっている各アンカーの向きがバラバラであるので、アンカーを掴む手や体の向きをその都度変えながらの回収となって回収作業も面倒となる。これに対し、アンカーが畑の土の上に立っている場合には、手で掴むアンカーの上端側の位置が畑の土よりも高いので体を曲げる負担が軽減され、しかもアンカーも同じ方向に並んで立っているので、アンカーを掴む手や体の向きを変えることなく回収でき、回収作業もアンカーが完全に引き抜かれて畑の土の上に横たわっている場合に比べて楽に回収することができる等、極めて新規的有益なる効果を奏するものである。
【図面の簡単な説明】
【図１】この発明の実施の形態を示すトンネル栽培用シートビニール固定アンカー抜取具の全体斜視図である。
【図２】この発明の実施の形態を示すトンネル栽培用シートビニール固定アンカー抜取具の要部の側面図である。
【図３】この発明の実施の形態を示すトンネル栽培用シートビニール固定アンカー抜取具の使用時の非作動位置の部分斜視図である。
【図４】この発明の実施の形態を示すトンネル栽培用シートビニール固定アンカー抜取具の使用時の作動中の部分斜視図である。
【図５】この発明の実施の形態を示すトンネル栽培用シートビニール固定アンカー抜取具の使用時の作動位置の部分斜視図である。
【符号の説明】
１    アンカー抜取具
２    主杆
３    把持杆
４    接地板
５    枢支軸
６    アンカー押上げ作動杆
６ａ  ツメ
６ｂ  足踏みペダル
６ｃ  ストッパー突起片
７    バネ
ａ    シート
ｂ    紐類
ｃ    アンカー
ｄ    孔部
【図１】
2005021013.tif 000003
【図２】
2005021013.tif 000004
【図３】
2005021013.tif 000005
【図４】
2005021013.tif 000006
【図５】
2005021013.tif 000007